(57)【特許請求の範囲】
【請求項１】
分割コアが周方向の全周にわたって配設されてなり、深さ方向が径方向に一致する複数のスロットを周方向に区画する固定子コアと、
前記スロットに組み付けられたコイルと、
を備えた回転電機の固定子であって、
前記分割コアは、前記スロットの底面と前記底面に背向した前記固定子コアの表面の一部を区画するコアバック部と、前記コアバック部の前記底面の両端から径方向に突出して、その側面と前記底面との間で前記スロットを区画する二本のティース部と、を持ち、
前記固定子コアを形成したときに、周方向に隣接する二つの前記分割コアの互いに近接した位置に形成された二つの前記ティース部が前記スロットを区画し、
異なる前記分割コア間に区画された前記スロットの幅は、一つの前記分割コア間に区画された前記スロットの幅以下であることを特徴とする回転電機の固定子。
【請求項２】
前記スロットは、前記コイルを構成する各相巻線が径方向に一列に配列した状態で収容する請求項１に記載の回転電機の固定子。
【請求項３】
異なる前記分割コア間に区画された前記スロットの幅は、前記各相巻線の幅である請求項２記載の回転電機の固定子。
【請求項４】
前記コイルは、複数の前記各相巻線が、前記固定子コアの周方向で波状をなすように巻回されてなる請求項１〜３のいずれかに記載の回転電機の固定子。
【請求項５】
前記スロットの内、少なくとも一つの分割コアのティース部で区画されるスロットの内表面は、滑らかに形成されている請求項１〜４のいずれかに記載の回転電機の固定子。
【請求項６】
前記二本のティース部の少なくとも対向する側のコーナが面取り又はＲ仕上げされている請求項１〜４のいずれかに記載の回転電機の固定子。
【請求項７】
前記分割コアは、一枚のまたは積層した二枚以上の金属板よりなる請求項１〜６のいずれかに記載の回転電機の固定子。
【請求項８】
請求項１〜７のいずれか１項に記載の回転電機の固定子の内周側又は外周側に、周方向に異なる磁極を形成している回転子を備えたことを特徴とする回転電機。
【発明の詳細な説明】
【技術分野】
【０００１】
本発明は、回転電機の固定子及び回転電機に関する。
【背景技術】
【０００２】
近年、電動機及び発電機として使用される回転電機において、小型高出力及び高品質が求められている。
【０００３】
車両に搭載される回転電機においては、搭載するためのスペースが小さくなる一方で、車両負荷の増大による発電出力の向上が求められている。回転電機の小型高出力化のためには、各相巻線の巻線抵抗値の低減、固定子の磁気回路内に納める電気導体の占積率の向上、さらには各相巻線のターン部の整列化及び高密度化が必要であった。
【０００４】
また、車両に搭載される回転電機の場合、信頼性の向上が求められている。信頼性の向上のためには、コイルの絶縁性を高める必要がある。
【０００５】
このような回転電機としては、図１６に示すものが知られている（例えば、特許文献１参照。）。この回転電機は、円筒状の固定子７１と、固定子７１の中に挿入された回転子７２と、を備えている。
【０００６】
固定子７１は、図１７に示すように、固定子コア７３と、固定子コア７３のスロット７３bにスロット収容部７５a（図１９参照。）が挿入された複数の各相巻線から形成されるコイル７５と、絶縁部材７９（図１６参照。）と、を備えている。
【０００７】
固定子７１は、連続した各相巻線で図１９に示すような平面状コイル７５を作り、それを円筒状にし、図１８に示すようなティース部７３aで区画されるスロット７３bが周方向に所定のピッチで複数形成された円筒状の固定子コア７３に挿入することで、作製されていた。
【特許文献１】特開２００４−３２０８８６号公報
【発明の開示】
【発明が解決しようとする課題】
【０００８】
上記従来の回転電機の固定子７１では、固定子コア７３の内径より小さい外径の円柱状挿入治具に図１９の平面状コイル７５を巻き付けて円柱状コイルにし、それを固定子コア７３の中に入れて円柱状コイル７５を拡張させて全てのスロット収容部７５aを対応するスロット７３bに一気に挿入していた。図２０は、固定子７１の部分断面図で、スロット７３bへのスロット収容部７５aの挿入状態を示すが、円筒状コイル７５を拡張させてスロット収容部７５aをスロット７３bに挿入して組み付ける際、スロット７３bを区画するティース部７３aのエッジでスロット収容部７５aの挿入が阻害されるため、スロット７３bの幅をスロット収容部７５aの幅（コイル７５の巻線４０の幅）より大きくする必要があり、スロット７３bにおける巻線の占積率が低かった。また、スロット７３bにスロット収容部７３bを挿入する際、絶縁部材７９や巻線４０の絶縁皮膜（不図示）が損傷されたりする問題があった。円柱状コイル７５を拡張させると変形しやすく、変形すると益々挿入が阻害される。スロット収容部７５aの挿入が阻害されると、コイルの形状がそれによっても変形する。コイルが変形すると出力低下の原因になる。また、絶縁皮膜が損傷されると、最悪の場合回転電機の故障に繋がる。
【０００９】
本発明は、上記従来の固定子の問題に鑑みてなされたものであり、スロットへの巻線挿入がスムーズで巻線の絶縁皮膜が損傷されない、スロット占積率の高い固定子コアを有する回転電機の固定子及び回転電機を提供することを課題とする。
【課題を解決するための手段】
【００１０】
上記の課題を解決するためになされた本発明の回転電機の固定子は、分割コアが周方向の全周にわたって配設されてなり、深さ方向が径方向に一致する複数のスロットを周方向に区画する固定子コアと、前記スロットに組み付けられたコイルと、を備えた回転電機の固定子であって、前記分割コアは、前記スロットの底面と前記底面に背向した前記固定子コアの表面の一部を区画するコアバック部と、前記コアバック部の前記底面の両端から径方向に突出して、その側面と前記底面との間で前記スロットを区画する二本のティース部と、を持ち、前記固定子コアを形成したときに、周方向に隣接する二つの前記分割コアの互いに近接した位置に形成された二つの前記ティース部が前記スロットを区画し、異なる前記分割コア間に区画された前記スロットの幅は、一つの前記分割コア間に区画された前記スロットの幅以下であることを特徴とする。
【００１２】
また、上記固定子において、前記スロットは、前記コイルを構成する各相巻線が径方向に一列に配列した状態で収容するとよい。
【００１３】
また、上記固定子において、異なる前記分割コア間に区画された前記スロットの幅は、前記各相巻線の幅であるとよい。
【００１４】
また、上記固定子において、前記コイルは、複数の前記各相巻線が、前記固定子コアの周方向で波状をなすように巻回されてなるとよい。
【００１５】
また、上記固定子において、前記スロットの内、少なくとも一つの分割コアのティース部で区画されるスロットの内表面は、滑らかに形成されているとよい。
【００１６】
また、上記固定子において、前記二本のティース部の少なくとも対向する側のコーナが面取り又はＲ仕上げされているとよい。
【００１７】
また、上記固定子において、前記分割コアは、一枚のまたは積層した二枚以上の金属板よりなるとよい。
【００１８】
課題を解決するためになされた本発明の回転電機は、上記の回転電機の固定子を用いてなることを特徴とする。
【発明の効果】
【００１９】
分割コアは、スロットの底面とその底面に背向した固定子コアの表面の一部を区画するコアバック部と、そのコアバック部の底面の両端から径方向に突出して、その側面と底面との間でスロットを区画する二本のティース部と、を持つので、分割コアのティース部を円環状コイルの外周から該コイルの隣接するスロット収容部の間に挿入することで、該スロット収容部がスロットに収容される。したがって、コイルに何らの力も加わらず、コイルが変形することがなく、スロットの内表面やティース部のコーナで巻線の絶縁皮膜が損傷されることがない。
【００２０】
また、固定子コアを形成したときに、周方向に隣接する二つの分割コアの互いに近接した位置に形成された二つのティース部がスロットを区画するようにすることで、このスロットへのスロット収容部の挿入時はスロットが区画されていないようになる。したがって、この異なる分割コア間に区画されたスロットの幅を、一つの分割コア間に区画されたスロットの幅以下にしても巻線の絶縁皮膜の損傷がない。また、このスロットの幅を一つの分割コア間に区画されたスロットの幅以下とすることで、このスロットの巻線占積率が高くなる。
【００２１】
また、スロットは、コイルを構成する各相巻線が径方向に一列に配列した状態で収容するようにすることで、コイルに何らの力も加わらず、コイルが変形することがなく、スロットの内表面で巻線の絶縁皮膜が損傷されることが一層なくなる。
【００２２】
また、異なる分割コア間に区画されたスロットの幅は、各相巻線の幅であるようにすることで、このスロットの巻線占積率を１００％にすることができる。
【００２３】
また、コイルは、複数の各相巻線が、固定子コアの周方向で波状をなすように巻回されてなるようにすることで、径方向に放射状に延びるコイルのスロット収容部が周方向に所定の間隔を隔てて配置される。したがって、隣接するスロット収容部の間に外周側から分割コアのティース部を容易に挿入することができ、スロットの内表面で巻線の絶縁皮膜が損傷されることが、より一層なくなる。
【００２４】
また、スロットの内、少なくとも一つの分割コアのティース部で区画されるスロットの内表面は、滑らかに形成されているようにすることで、固定子組み立て初期からスロット幅が一定でも巻線挿入時に絶縁皮膜が損傷されることがない。
【００２５】
また、分割コアの二本のティース部の少なくとも対向する側のコーナが面取り又はＲ仕上げされているようにすると、固定子組み立て初期からスロット幅が一定でも巻線挿入時に絶縁皮膜が損傷されることがない。
【００２６】
また、分割コアは、一枚のまたは積層した二枚以上の金属板よりなるようにすることで、スロットの内表面を滑らかに形成することやティース部のコーナの面取り又はＲ仕上げが容易になる。
【００２７】
本発明の回転電機は、上記の効果を持つ固定子を用いてなるものであり、上記の効果を発揮する。
【発明を実施するための最良の形態】
【００２８】
最良の形態の回転電機の固定子及び回転電機を図面を参照して説明する。
【００２９】
本発明に係る回転電機１は、図１に示すように、略有底筒状の一対のハウジング部材１００、１０１とが開口部同士で接合されてなるハウジング１０と、ハウジング１０に軸受け１１０、１１１を介して回転自在に支承される回転軸２０に固定された回転子２と、ハウジング１０の内部で回転子２を包囲する位置でハウジング１０に固定された固定子３と、を備えている。
【００３０】
回転子２は、永久磁石により周方向に交互に異なる磁極を、固定子３の内周側と向き合う外周側に複数形成している。回転子２の磁極の数は、回転電機により異なるため限定されるものではない。本形態の回転電機では、８極（Ｎ極：４、Ｓ極：４）の回転子が用いられている。
【００３１】
固定子３は、図２に示すように、固定子コア３０と、複数の各相巻線から形成される三相のコイル４と、固定子コア３０とコイル４との間に配された絶縁紙５と、を備えた構成を有している。
【００３２】
固定子コア３０は、図３に示すように、コア片部材が複数積層された分割コア３２を分割コア３２を構成するコア片部材の一部分が重なるように周方向に複数（本形態の固定子コアでは、２４個）連結したもので、内周に深さ方向が径方向と一致する複数のスロット３１a、３１bが形成された円環状をしている。固定子コア３０に形成されたスロットの数は、回転子２の磁極数に対し、コイル４の一相当たり２個の割合で形成されている。すなわち、８×３×２＝４８個のスロットが形成されている。３３a、３３bは、スロット３１a、３１bを区画するティース部である。
【００３３】
図４は、分割コア３２の正面視図、図５は図４のＡ矢視図である。分割コア３２は、後述する図６に示す電磁鋼板からなるコア片部材３２aを前半、表−表−表・・・にし、後半、裏−裏−裏・・・として積層したものである。なお、積層の仕方は、これに限定されるものでなく、例えば、表−裏−表−裏・・・のように、表と裏を交互に積層してもよい。
【００３４】
分割コア３２は、図４に示すように、スロット３１aの底面とその底面に背向した固定子コアの表面の一部を区画するコアバック部３４と、コアバック部３４の底面の両端から径方向に突出して、その側面と底面との間でスロット３１aを区画する二本のティース部３３a、３３bと、を持つ。分割コア３２を周方向に連結すると、隣接する分割コア３２は、それぞれの隣接するティース部３３bと３３aとで新たに一つのスロット３１bを区画するようになる（図３参照。）。
【００３５】
コア片部材３２aは、図６に示すように、厚さ０．３ｍｍの電磁鋼板からプレスで打ち抜かれたもので、固定子コア３０の外周の一部を成す円弧状辺３２１aと辺３２１aに対向する底辺３２１bとで構成される略平行四辺形状のコアバック３２１及び底辺３２１bの両端部から所定の距離ａだけ離れた底辺３２１bの２カ所から径方向に伸びる二つのティース３２０a、３２０bを持ち、二つのティース３２０a、３２０bは、積層されてティース部３３a、３３bとなり、幅ｗ（＝２ａ）のスロット３１aを区画する。なお、上述のように、ティース３２０aと、左隣のコア片部材のティース３２０bとは、積層されてティース部３３a、３３bとなり、幅２ａ（＝ｗ）のスロット３１bを区画する。同様に、ティース３２０bと、右隣のコア片部材のティース３２０aとは、積層されてティース部３３b、３３aとなり、幅２ａ（＝ｗ）のスロット３１bを区画する。
【００３６】
プレスで打ち抜いたままのコア片では、外周縁部にバリが発生することがある。外周縁部の内、コイルの巻線に面する底辺３２１bの両端部からティース３２０aまでの区間（イ−ロ)、３２０bまでの区間（ヌ−リ）、中央の区間（ホ−ヘ）及びティース３２０aの外周縁部（ロ−ハ−ニ−ホ）、３２０bの外周縁部（ヘ−ト−チ−リ）のバリ取り処理を行っている。したがって、固定子コアのスロットの内周面が滑らかで、後述するように、スロット３１a、３１bにコイルのスロット収容部を挿入しても巻線の絶縁皮膜が損傷されることがない。
【００３７】
バリ取り処理のような加工をスロット３１aの内周面（ニ−ホ−ヘ−ト）に施す場合、時間がかかるが、スロット３１bを区画する区間（イ−ロ−ハ）、（チ−リ−ヌ）は、一方が開放されているので、処理時間が短くて済む。すなわち、本実施形態の二つのティースを持つコア片部材の場合、処理時間が長い内周面を持つスロット３１aが全体の半分（２４個）であり、その分、加工処理時間を半減することができる。
【００３８】
本実施形態では、上記のように、コア片部材の外周縁部の内、コイルの巻線に面する外周縁部全てをバリ取り処理しているが、コイルの巻線と接して擦れる頻度の高いティース先端部及びその周辺だけバリ取り処理しても絶縁皮膜の損傷を抑制することができる。
【００３９】
図７は、図６の点線円内を模式的に示した図であるが、外周縁部のバリ取り処理を行う代わりに同図（ａ）のように、コーナ部を面取り処理してもよいし、同図（ｂ）のようにＲ処理を行ってもよい。また、後述するように、固定子の組み立ての際、一つの分割コアのティース部３３aと３３bとで区画されるスロット部３１aの幅は、最初から一定であるのに対して、隣接する二つの分割コアのティース部３３bと３３aとで区画されるスロット部３１bは、組み立て初期は区画されず、組み立てが進むにつれてティース部３３bと３３aの間隔が狭まる。したがって、スロット部３１bへのコイルの挿入では擦れることがなく、図７の上段のように、ティース部３３a、３３bのうちスロット部３１aを区画する側のみ面取り或いはＲ仕上げするだけでよい。
【００４０】
コイル４は、複数の巻線４０を所定の巻回方法で巻回してなる。コイル４を構成する巻線４０は、図８に示すように、銅製の導体４１と、導体４１の外周を覆い導体４１を絶縁する内層４２０及び外層４２１からなる絶縁被膜４２とから形成されている。内層４２０及び外層４２１を合わせた絶縁被膜４２の厚みは、１００μｍ〜２００μｍの間に設定されている。
【００４１】
コイル４は、図９に示すように、それぞれ二本の三相巻線（Ｕ１，Ｕ２，Ｖ１，Ｖ２，Ｗ１，Ｗ２）により形成されている。
【００４２】
また、コイル４は、図１０に示すように、複数の巻線４０を所定の形状に巻回してなる。コイル４を構成する巻線４０は、固定子コア３０の内周側で周方向に沿って波巻きされた形状で成形されている。そして、固定子コア３０に形成されたスロット３１a、３１bに収容される直線上のスロット収容部４４と、隣り合ったスロット収容部４４同士を接続するターン部４５と、を備えている。スロット収容部４４は、所定のスロット数（本形態の固定子では、３相×２個＝６個）ごとのスロット３１a又は３１bに収容され、ターン部４５は、固定子コア３０の軸方向の端面から突出して形成されている（図２参照。）。
【００４３】
コイル４の１相は、周方向に沿って波状に巻装された２本の巻線４０を他方の端部同士で溶接で接合して形成されている。２本の巻線４０は、同一スロット３１a又は３１bにスロット収容部４４が収容される。このとき、第一の巻線４０のスロット収容部４４と、第二の巻線４０のスロット収容部４４とは、スロット３１a、３１bの深さ方向で交互にスロット収容部４４が位置するように設置されている。そして、２本の巻線４０a、４０bの接合部４５は、２本の巻線４０の巻装される方向が反転するスロット収容部４４よりなる折り返し部４６に形成されている。
【００４４】
コイル４は、図１１に展開図で示したように、互いに巻装方向が異なる二つの巻線部４０a、４０bを持つ成形体を各相（Ｕ１，Ｕ２，Ｖ１，Ｖ２，Ｗ１，Ｗ２）ごとに、６組用いて形成されている。二つの巻線部４０a、４０bのそれぞれは、中性点側の端部及び相端子側の端部とは反対の端部側が、スロット収容部４４（折り返し部４６）を介して接続されている。各相の巻線４０の結線方法は同様である。
【００４５】
コイル４は、図１１に示した展開成形体を形成し、この成形体を折り返し部４６が軸心側に位置するように所定の巻数（例えば、４回）に巻回して製造される。製造されたコイル４は、図１０に示したように、各相の巻線４０のスロット収容部４４が径方向に放射状に並んだ状態で形成されている。このとき、径方向に並んだスロット収容部４４は、コイル４の周方向で小間隔を隔てた状態で位置している。
【００４６】
次に、図４及び図５に示す分割コア３２を分割コア３２を構成するコア片部材の一部分が重なるように周方向に複数連結して図２に示す固定子３に組み付ける方法を説明する。
【００４７】
先ず、図４及び図５に示す分割コア３２を所定数（本形態の固定子では、２４個）及び図１０に示す円環状コイル４を１個準備する。次に、図１２（a）（図１２は、簡単のために左右二つの分割コアの連結を模式的に示してある。）に示すように、分割コア３２を矢印方向に移動させティース部３３a、３３bをコイル４のスロット収容部４４の間に挿入し（スロット収容部４４をスロット３１a、３１bに挿入し）、図１２（b）に示す状態にする。
【００４８】
本実施形態の固定子コアの場合、図１２（a）の挿入時は、スロット３１bが左側の分割コア３２のティース部３３bと右側の分割コア３２のティース部３３aで区画される前の状態であり、ティース部３３b、３３aの周壁とスロット収容部４４との間の隙間が大きい。
【００４９】
したがって、図１２（a）の挿入時、左側の分割コア３２のティース部３３a、３３bが左側のスロット収容部４４と擦れないように矢印方向に移動させ、同様に右側の分割コア３２のティース部３３a、３３bが右側のスロット収容部４４と擦れないように矢印方向に移動させて組み付けることができる。その結果、図１２（a）の挿入時にティース部３３a、３３bとスロット収容部４４を構成する巻線４０とが擦れて絶縁皮膜４２（図８参照。）が損傷されることがない。
【００５０】
ティース部３３a、３３bとスロット収容部４４を構成する巻線４０とが擦れる確率は、スロット収容部４４とティース部３３a、３３bとの隙間α（図１２（b）参照。）に依存する。本実施形態の固定子では、コア片部材３２aのティース３２０a、３２０bは、上述のようにバリ取りされているので、擦れても絶縁皮膜４２が損傷されない。したがって、隙間αを極力小さくできる。その結果、スロット内のコイルの占積率を高めることができる。
【００５１】
なお、バリ取りしてあっても、擦れると、絶縁皮膜４２が損傷される恐れがある。しかし本実施形態の固定子コアの場合、図１２（a）の挿入時は、上述のようにスロット３１bが左側の分割コア３２のティース部３３bと右側の分割コア３２のティース部３３aで区画される前の状態であり、ティース部３３b、３３aの周壁とスロット収容部４４との間の隙間が大きい。したがって、スロット３１bに挿入されるスロット収容部４４を構成する巻線４０がティース部３３b、３３aと擦れることがなく、絶縁皮膜４２（図８参照。）が損傷されることがない。このような挿入時に隙間が大きいスロット３１bが全体のスロットの半数あるので、擦れて絶縁皮膜４２が損傷する確率を半減させることができる。
【００５２】
図１２（b）に示すティース部３３a、３３bのスロット収容部４４間への挿入後、図１３（コイルのスロット収容部４４を省略）に示すように、ティース部固定治具５０、５０’を装着して分割コア３２を周方向及び径方向に揃え、溶接部位３５を溶接する。ティース部固定治具５０、５０’は、それぞれ、周方向固定凸部５１、５１’と径方向固定凸部５２、５２’を有している。
【００５３】
本実施形態の固定子コアは、二つのティース部３３a、３３bを持つ分割コア３２を所定数連結したものであり、ティース部固定治具５０、５０’の周方向固定凸部５１、５１’は、１スロットおきでよい。したがって、ティース固定治具の固定箇所を少なくでき、固定子の組み付け精度が上がる。
【００５４】
分割コア３２は、図４に示す形状に限らず、例えば、図１４に示すようなコアバック部３４の形状が異なっているものでもよい。すなわち、この変形形態の分割コア３２の場合、周方向に連結すると、コアバック部３４は、隣接する分割コアのコアバック部と重なることなく、コアバック部３４の側辺３４dが隣接する分割コアの側辺３４dと当接することになる。なお、この分割コア３２は、紙面方向にコア片部材を積層したものでなく、積層して得られる厚さに相当する厚さの電磁鋼板から切り出されたものである。また、この分割コアは、ｗ＞２ａ＝ｄ（ｄは、スロット収容部４４の周方向の幅である。）に設定されている。
【００５５】
次に、図１４に示す分割コア３２を周方向に連結して固定子３に組み付ける方法を説明する。
【００５６】
先ず、図１４に示す分割コア３２を２４個準備して、図１５（a）に示すように（図１５は、簡単のために二つの分割コアの連結を模式的に示してある。）矢印方向に移動させ、ティース部３３a、３３bをコイル４のスロット収容部４４の間に挿入し（スロット収容部４４をスロット３１a、３１bに挿入し）、図１５（b）に示す状態にする。
【００５７】
本変形態様の分割コア３２を連結した固定子コアのスロット３１aの幅はｗであり、スロット３１bの幅は２ａである。そして、ｗと２aの間には、ｗ＞２ａ＝ｄの関係がある。図１５（a）に示す挿入時は、スロット３１bが左側の分割コア３２のティース部３３bと右側の分割コア３２のティース部３３aで区画される前の状態であり、ティース部３３b、３３aの周壁とスロット収容部４４との間の隙間βが大きい。したがって、スロット３１bに挿入されるスロット収容部４４を構成する巻線４０がティース部３３b、３３aと擦れることがなく、絶縁皮膜４２（図８参照。）が損傷されることがない。その結果、ｗ＞２ａ＝ｄ、すなわち、スロット３１bの幅２aをスロット３１aの幅ｗより小さくしてスロット収容部４４の幅ｄに等しくしても絶縁皮膜４２を損傷することがない。組み付け終了後の隙間β’（図１５（b）参照。）はゼロであり、スロット３１bのコイルの占積率を１００％にすることができる。
【００５８】
また、スロット３１aは、最初からティース部３３a、３３bで区画されているので、図１５aの挿入時は、スロット３１aに挿入されるスロット収容部４４を構成する巻線４０がティース部３３a、３３bの周壁と擦れる可能性がある。しかし、スロット３１aの幅ｗをスロット３１bの幅２aより大きくしてあるので、ティース部３３a、３３bの周壁とスロット収容部４４との間の隙間αを大きくできる。したがって、スロット３１aに挿入されるスロット収容部４４を構成する巻線４０がティース部３３a、３３bと擦れることがなく、絶縁皮膜４２（図８参照。）が損傷されることがない。
【００５９】
図１５（b）に示すように、組み付け完了後の固定子は、スロット幅がｗ、２aと１個おきに異なるので、固定子の組み付け時にコイルや絶縁皮膜を傷つけることなく、固定子或いは本固定子を用いた回転電機全体としての総ティース幅を確保することができる。また、スロット数の周期性が弱まるため、スロット高調波に起因する磁気加振力が低減され、耳障りな磁気音がなくなる。
【図面の簡単な説明】
【００６０】
【図１】最良の形態の回転電機の断面図である。
【図２】最良の形態の回転電機の固定子の正面視（軸方向視）図である。
【図３】最良の形態の回転電機の固定子コアの正面視（軸方向視）図である。
【図４】最良の形態の回転電機の分割コアの正面視図である。
【図５】図４のＡ矢視図である。
【図６】図４及び図５に示す分割コアを構成するコア片部材の正面視図である。
【図７】図６の点線円内を模式的に示す図である。
【図８】最良の形態の回転電機のコイルを構成する各相巻線の断面図である。
【図９】最良の形態の回転電機のコイルの結線を示す図である。
【図１０】最良の形態の回転電機のコイルの斜視図である。
【図１１】最良の形態の回転電機のコイルの展開図である。
【図１２】最良の形態の回転電機の固定子を組み立てる方法を示す図である。
【図１３】最良の形態の回転電機の固定子を組み立てる方法を示す図である。
【図１４】変形形態の分割コアの正面視図である。
【図１５】変形形態の回転電機の固定子を組み立てる方法を示す図である。
【図１６】従来の回転電機の断面図である。
【図１７】図１６の固定子の斜視図である。
【図１８】図１６の固定子コアの斜視図である。
【図１９】図１６のコイルの平面状成形状態図である。
【図２０】図１６の固定子の部分断面図である。
【符号の説明】
【００６１】
１・・・・・・・・・・・・・・・・回転電機
２・・・・・・・・・・・・・・・・回転子
３・・・・・・・・・・・・・・・・固定子
３０・・・・・・・・・・・・・・固定子コア
３１a、３１b ・・・・・・・・・スロット
３２・・・・・・・・・・・・・・分割コア
３４・・・・・・・・・・・・・・コアバック部
３３a、３３b・・・・・・・・・・ティース部
４・・・・・・・・・・・・・・・・コイル
ｗ、２ａ・・・・・・・・・・・・・スロットの幅
ｄ・・・・・・・・・・・・・・・・コイルの巻線の幅
【図１】
0005125623.tif 000002
【図２】
0005125623.tif 000003
【図３】
0005125623.tif 000004
【図４】
0005125623.tif 000005
【図５】
0005125623.tif 000006
【図６】
0005125623.tif 000007
【図７】
0005125623.tif 000008
【図８】
0005125623.tif 000009
【図９】
0005125623.tif 000010
【図１０】
0005125623.tif 000011
【図１１】
0005125623.tif 000012
【図１２】
0005125623.tif 000013
【図１３】
0005125623.tif 000014
【図１４】
0005125623.tif 000015
【図１５】
0005125623.tif 000016
【図１６】
0005125623.tif 000017
【図１７】
0005125623.tif 000018
【図１８】
0005125623.tif 000019
【図１９】
0005125623.tif 000020
【図２０】
0005125623.tif 000021